(57)【要約】【課題】使用者の負担を減らして正確な測定結果を得るために、ヘルスケア機器の有する被検者情報を簡便に更新できるヘルスケアシステムを実現する。【解決手段】被検者の測定を行う第１のヘルスケア機器と、前記被検者の被検者情報を有する第２のヘルスケア機器と、を有し、前記第１のヘルスケア機器は、前記被検者情報に基づいて前記被検者の測定結果を補正する、ヘルスケアシステムである。【選択図】      図１
2015150276.tif 000002
【特許請求の範囲】
【請求項１】
被検者の測定を行う第１のヘルスケア機器と、前記被検者の被検者情報を有する第２のヘルスケア機器と、を有し、
前記第１のヘルスケア機器は、前記被検者情報に基づいて前記被検者の測定結果を補正する、ヘルスケアシステム。
【請求項２】
前記第１のヘルスケア機器は、前記被検者を測定する第１の測定手段と、前記被検者情報を保存する第１の保存手段と、前記被検者情報を前記第２のヘルスケア機器と送受信する第１の通信手段とを有し、
前記第２のヘルスケア機器は、前記被検者情報を保存する第２の保存手段と、前記被検者情報を前記第１のヘルスケア機器と送受信する第２の通信手段とを有し、
前記第１のヘルスケア機器は、前記第２の保存手段が有し前記第２の送信手段が送信する前記被検者情報を、前記第１の送信手段で受信し前記第１の保存手段に保存し、前記被検者情報に基づいて前記第１の測定手段による前記測定結果を補正する、請求項１記載のヘルスケアシステム。
【請求項３】
前記第１のヘルスケア機器は、前記被検者情報に基づいて、前記測定結果を補正する検量線を決定する、請求項１または２記載のヘルスケアシステム。
【請求項４】
前記第２のヘルスケア機器は、前記被検者を測定する第２の測定手段を有する、請求項１から３の内の１項記載のヘルスケアシステム。
【請求項５】
前記被検者情報は、前記第２の測定手段による前記被検者の測定結果に基づいて更新される、請求項４記載のヘルスケアシステム。
【請求項６】
被検者の測定を行う第１のヘルスケア機器と、前記被検者の被検者情報を有する第２のヘルスケア機器と、端末機器と、を有し、
前記第１のヘルスケア機器は、前記端末機器を介して前記被検者情報を得、前記被検者情報に基づいて前記被検者の測定結果を補正する、ヘルスケアシステム。
【請求項７】
前記第１のヘルスケア機器は、前記被検者を測定する第１の測定手段と、前記被検者情報を保存する第１の保存手段と、前記被検者情報を前記端末機器と送受信する第１の通信手段とを有し、
前記第２のヘルスケア機器は、前記被検者情報を保存する第２の保存手段と、前記被検者情報を前記端末機器と送受信する第２の通信手段とを有し、
前記端末機器は、前記被検者情報を保存する第３の保存手段と、前記被検者情報を前記第１と第２のヘルスケア機器と送受信する第３の通信手段とを有し、
前記第１のヘルスケア機器は、前記第２の保存手段が有し前記第２の送信手段が送信し、前記端末機器の前記第３の通信手段が受信し前記第３の保存手段が保存し前記第３の通信手段が送信する、前記被検者情報を、前記第１の送信手段で受信し前記第１の保存手段に保存し、前記被検者情報に基づいて前記第１の測定手段による前記測定結果を補正する、請求項６記載のヘルスケアシステム。
【請求項８】
被検者の測定を行い、第２のヘルスケア機器の有する被検者情報に基づいて前記被検者の測定結果を補正する、ヘルスケア機器。
【請求項９】
前記被検者を測定する測定手段と、前記被検者情報を保存する保存手段と、前記被検者情報を前記第２のヘルスケア機器と送受信する通信手段とを有し、
前記第２のヘルスケア機器が有し送信する前記被検者情報を、前記通信手段で受信し前記保存手段に保存し、前記被検者情報に基づいて前記測定手段による前記測定結果を補正する、請求項８記載のヘルスケア機器。
【請求項１０】
前記第２のヘルスケア機器が有し送信する前記被検者情報を、端末機器を介して前記通信手段で受信する、請求項９記載のヘルスケア機器。
【発明の詳細な説明】
【技術分野】
【０００１】
本発明は、被検者の登録情報を元に測定データの補正を行うヘルスケア機器に関する。
【背景技術】
【０００２】
血糖値を測定する糖質測定器などのヘルスケア機器では、被検者から得られた測定データに、被検者の性別や年齢、生体情報などによる補正を行うことによって、血糖値などの数値を決定している。
【０００３】
特許文献１には、血糖値などの体液成分濃度の測定を非侵襲で行う方法として、被検者の被測定部位内を透過した光を検出し、予め作成された検量線を比較値として数値を決定する方法が開示されている。この検量線の作成に際しては、被検者の人種、年齢、性別、体重、身長、ウエスト、体脂肪率などの生体情報が用いられる。
【先行技術文献】
【特許文献】
【０００４】
【特許文献１】特開平９−１８２７３９号公報
【発明の概要】
【発明が解決しようとする課題】
【０００５】
しかしながら、特許文献１に開示された体液成分濃度測定装置などのヘルスケア機器では、測定時に被検者の情報を必ずしも有しているとは限らない。被検者の情報がない場合、使用者は、予め手動によるキーボード入力などの方法で、被検者の性別や年齢、身長や体重などの情報を機器に登録する必要があり、手間がかかるという課題があった。そして、被検者情報の登録のない機器を使用するたびに、使用者はこの手動による入力操作を繰り返さなければならず、負担が大きいという課題があった。
【０００６】
また、血糖値測定に必要な被検者の体重や体脂肪率の数値のように、日常的に変動する情報については、その変動のたびに登録を更新する必要があるという課題があった。そして、この更新を怠った場合は、正確な数値が得られないという問題があった。
【０００７】
本発明は、上記の課題に鑑みてなされたものであり、その目的は、使用者の負担を減らして正確な測定結果を得るために、ヘルスケア機器の有する被検者情報を簡便に更新できるヘルスケアシステムを実現することにある。
【課題を解決するための手段】
【０００８】
本発明によるヘルスケアシステムは、被検者の測定を行う第１のヘルスケア機器と、前記被検者の被検者情報を有する第２のヘルスケア機器と、を有し、前記第１のヘルスケア機器は、前記被検者情報に基づいて前記被検者の測定結果を補正する。
【０００９】
本発明によるヘルスケアシステムは、被検者の測定を行う第１のヘルスケア機器と、前記被検者の被検者情報を有する第２のヘルスケア機器と、端末機器と、を有し、前記第１のヘルスケア機器は、前記端末機器を介して前記被検者情報を得、前記被検者情報に基づいて前記被検者の測定結果を補正する。
【００１０】
本発明によるヘルスケア装置は、被検者の測定を行い、第２のヘルスケア機器の有する被検者情報に基づいて前記被検者の測定結果を補正する。
【発明の効果】
【００１１】
本発明によれば、使用者の負担を減らして正確な測定結果を得るために、ヘルスケア機器の有する被検者情報を簡便に更新できるヘルスケアシステムを実現することができる。
【図面の簡単な説明】
【００１２】
【図１】本発明の第１の実施形態のヘルスケアシステムの構成を示す図である。
【図２】本発明の第１の実施形態のヘルスケア機器の構成を示す図である。
【図３】本発明の第１の実施形態の第１のヘルスケア機器の動作のフローチャートである。
【図４】本発明の第１の実施形態の第２のヘルスケア機器の動作のフローチャートである。
【図５】本発明の第１の実施形態のヘルスケア機器の情報格納部に保存されてある被検者の登録情報と測定情報を示す図である。
【図６】本発明の第２の実施形態のヘルスケアシステムの構成を示す図である。
【図７】本発明の第２の実施形態の第１のヘルスケア機器の動作のフローチャートである。
【図８】本発明の第２の実施形態の端末機器の動作のフローチャートである。
【図９】本発明の第２の実施形態の端末機器の保存手段に保存されてある被検者の登録情報と測定情報を示す図である。
【発明を実施するための形態】
【００１３】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態のヘルスケアシステムの構成を示す図である。ヘルスケアシステム１０は、第１のヘルスケア機器１００と第２のヘルスケア機器１１０を備える。なお、本実施形態で、被検者とは生体情報を測定する対象者である。また、使用者とは、被検者をはじめ本実施形態のシステムおよび機器を操作する医師や看護婦などの者である。
【００１４】
第１のヘルスケア機器１００は、測定手段１０１、保存手段１０２、通信手段１０３、制御手段１０４を備える。測定手段１０１は、被検者の生体情報を測定する。保存手段１０２は、測定手段１０１で測定したデータや、被検者情報である、人種、年齢、性別、体重、身長、ウエストなどのスリーサイズなどの登録情報や、体脂肪率、血糖値、血圧などの測定情報を保存する。通信手段１０３は、被検者の登録情報や測定情報をヘルスケアシステム１０内の他のヘルスケア機器と送受信する。制御手段１０４は、測定手段１０１や保存手段１０２や通信手段１０３の個々の動作や相互に連携する動作の制御を行う。測定手段１０１は、また、測定手段１０１で測定したデータを、保存手段１０２に保存された被検者情報に基づいて補正する。
【００１５】
第２のヘルスケア機器１１０は、測定手段１１１、保存手段１１２、通信手段１１３、制御手段１１４を備える。測定手段１１１は、被検者の生体情報を測定する。保存手段１１２は、測定手段１１１で測定したデータや、被検者情報である、人種、年齢、性別、体重、身長、ウエストなどのスリーサイズなどの登録情報や、体脂肪率、血糖値、血圧などの測定結果を保存する。通信手段１１３は、被検者の登録情報や測定情報をヘルスケアシステム１０内の他のヘルスケア機器と送受信する。制御手段１１４は、測定手段１１１や保存手段１１２や通信手段１１３の個々の動作や相互に連携する動作の制御を行う。測定手段１１１は、また、測定手段１１１で測定したデータを、保存手段１１２に保存された被検者の情報に基づいて補正する。なお、第２のヘルスケア機器１１０は、後述するように、測定手段１１１を有しない場合も可能である。
【００１６】
図２は、第１のヘルスケア機器１００および第２のヘルスケア機器１１０のさらに具体的な構成を示す図である。なお、以下では、ヘルスケア機器２００として、血糖値を測定する糖質測定器の場合を想定しながら説明する。
【００１７】
主制御部２０１は、ＣＰＵ（Ｃｅｎｔｒａｌ  Ｐｒｏｃｅｓｓｉｎｇ  Ｕｎｉｔ）である。主制御部２０１は、記憶部（ＲＯＭ）２０２（Ｒｅａｄ  Ｏｎｌｙ  Ｍｅｍｏｒｙ）に格納されている、ヘルスケア機器２００の起動処理や測定処理、被検者情報の登録処理、ヘルスケアシステム内の他のヘルスケア機器と被検者情報を送受信するための通信処理などの基本動作を行うプログラムを、記憶部（ＲＡＭ）２０３（Ｒａｎｄｏｍ  Ａｃｃｅｓｓ  Ｍｅｍｏｒｙ）に展開して実行する。
【００１８】
測定部２０４は、センサで取得した血糖値の値をＡＤコンバータによりデジタルデータに変換して記憶部（ＲＡＭ）２０３に格納する。さらに、前記デジタルデータを、情報格納部２０７の被検者登録を使用してあらかじめ記憶部（ＲＯＭ）２０２のプログラム内にある測定結果補正用の計算式により、補正を行った後、情報格納部２０７へ保存する。
【００１９】
操作表示部２０５は、ＵＩ（Ｕｓｅｒ  Ｉｎｔｅｒｆａｃｅ）操作および表示を行うためのＬＣＤ（Ｌｉｑｕｉｄ  Ｃｒｙｓｔａｌ  Ｄｉｓｐｌａｙ）画面とキーから構成される。使用者が装置で行う動作をＬＣＤ画面上に表示されたメニューの中からキー操作により選択したり、被検者の年齢や性別、身長や体重などの情報を使用者が手動で登録する手段を提供したり、被検者ごとの測定結果の履歴を使用者が参照するための手段を提供したり、電池の残容量を使用者に通知したり、他のヘルスケア機器と被検者情報の送受信を行うための操作設定を使用者が行うための手段を提供したりする。
【００２０】
電源管理部２０６は、電池および電池電圧を周期的に監視するＡＤ（Ａｎａｌｏｇ  ｔｏ  Ｄｉｇｉｔａｌ）コンバータで構成されており、電池電圧によりヘルスケア機器２００を構成する各部に電流を供給することで、ＡＣアダプタにより電源を供給する必要がなく、小型で持ち運びが可能なヘルスケア機器を実現する。また周期的に電池電圧を監視し、ＡＤコンバータから取得した値があらかじめプログラム内で決められた閾値を下回った場合に、操作表示部２０５に電池を交換するよう使用者に通知するためのメッセージを出力する。
【００２１】
情報格納部２０７は、ＳＤ（Ｓｅｃｕｒｅ  Ｄｉｇｉｔａｌ）カード等の取り外し可能な不揮発性メモリで構成される。被検者ごとの血糖値の測定結果および被検者ごとの性別や年齢、身長や体重などの被検者の登録情報が格納されている。また各種パラメータの値をもとに検量線を算出するためのテーブルおよび検量線の値も格納されている。メモリを取り外してＰＣ（Ｐｅｒｓｏｎａｌ  Ｃｏｍｐｕｔｅｒ）などへ測定結果や被検者の登録情報のデータバックアップを取っておくことも可能である。
【００２２】
日時管理部２０８は、リアルタイムクロックおよびバックアップ用コイン電池で構成されており、測定した被検者ごとの測定結果情報に対して測定日時を付加するために使用する。
【００２３】
通信制御部２０９は、他のヘルスケア機器と無線通信により、情報格納部２０７に格納されている被検者情報を送信したり、他のヘルスケア機器から送信された被検者情報を受信して情報格納部２０７に格納したりする。
【００２４】
次に、図３および図４を参照して、本実施形態の動作を説明する。すなわち、第１のヘルスケア機器１００は、第２のヘルスケア機器１１０から被検者の登録情報や測定結果を受信して、登録を行う。これにより、第１のヘルスケア機器１００において、使用者が手動で性別や年齢、身長や体重などの被検者情報を登録する手間を省く。さらに、被検者の最新の体重や体脂肪、血圧を測定結果の補正に使用することでより精度の高い測定結果を得る。
【００２５】
図３は、第１のヘルスケア機器１００の動作のフローチャートを、図４は、第２のヘルスケア機器１１０の動作のフローチャートを、それぞれ示す。
【００２６】
動作は、図３の第１のヘルスケア機器１００の動作から開始する。
【００２７】
Ｓ３０１で、電源を入れた状態の第１のヘルスケア機器１００は、操作表示部２０５の設定メニューに設けられた第２のヘルスケア機器１１０との被検者情報を共有するためのメニューを、操作表示部２０５のキーを使用して使用者が実行することで、通信制御部２０９を使用して第２のヘルスケア機器１１０との通信が可能かどうかの検出を行う。
【００２８】
もしくは、Ｓ３０１で、電源を入れた際の第１のヘルスケア機器１００は、ヘルスケアシステム１０内のヘルスケア機器に対して、通信が可能かどうかの検出を、自動で行うとすることもできる。
【００２９】
Ｓ３０２で、第１のヘルスケア機器１００は、第２のヘルスケア機器１１０の電源が入っていなかったり機器が通信圏外にあるため通信できなかったりするなどで通信可能でないことを検出した場合は、Ｓ３０３に進む。
【００３０】
Ｓ３０３で、第１のヘルスケア機器１００は、第２のヘルスケア機器１０１の電源を入れて通信範囲内に機器を持ってくるよう、操作表示部２０５に表示する。
【００３１】
Ｓ３０２で、第１のヘルスケア機器１００は、第２のヘルスケア機器１１０が通信制御部２０９により通信が可能であることを検出した場合、Ｓ３０４に進む。
【００３２】
Ｓ３０４で、第１のヘルスケア機器１００は、第２のヘルスケア機器１１０に保存されている被検者の登録情報および測定結果の取得要求を、第２のヘルスケア機器１１０に対して送信する。
【００３３】
ここからは、図４の第２のヘルスケア機器１１０の動作となる。
【００３４】
Ｓ４０１でＳ３０４の取得要求を受信した第２のヘルスケア機器１１０は、Ｓ４０２で、第２のヘルスケア機器１１０の情報格納部２０７に保存されている被検者の登録情報の有無を確認する。被検者の登録情報がある場合、Ｓ４０４で、取得要求に対する被検者の登録情報の送信を準備する。
【００３５】
続いて、第２のヘルスケア機器１１０は、Ｓ４０５で、第２のヘルスケア機器１１０の情報格納部２０７に保存されている被検者の体重や体脂肪や血圧などの測定情報の有無を確認する。被検者の測定情報がある場合、Ｓ４０６で、取得要求に対する被検者の測定情報の送信を準備する。
【００３６】
Ｓ４０７で、第２のヘルスケア機器１１０は、取得要求に対する被検者の登録情報と測定情報とを、第１のヘルスケア機器１００に送信し、終了する。
【００３７】
Ｓ４０２で、被検者の登録情報が無い場合、第２のヘルスケア機器１１０は、被検者の登録情報が無い旨を第１のヘルスケア機器１００に送信し、終了する。また、Ｓ４０５で、被検者の測定結果が無い場合、第２のヘルスケア機器１１０は、Ｓ４０７で、被検者の登録情報を第１のヘルスケア機器１００に送信し、終了する。
【００３８】
ここからは再び、図３の第１のヘルスケア機器１００の動作となる。
【００３９】
Ｓ３０５で、第２のヘルスケア機器１１０からの被検者情報を受信した第１のヘルスケア機器１００は、Ｓ３０６で、取得要求に対する受信情報の性別や年齢、身長や体重などの項目から、第１のヘルスケア機器１００に対応する登録可能な項目を識別する。登録可能な項目がある場合、Ｓ３０７で、情報格納部２０７の被検者の登録情報および測定情報に登録し、Ｓ３０８で、操作表示部２０５により使用者へ第２のヘルスケア機器１１０の被検者の登録情報および測定情報を登録したことを通知する。
【００４０】
Ｓ３０６で、登録可能な項目がないことを識別した場合、Ｓ３０９で、操作表示部２０５により使用者へ第２のヘルスケア機器１１０の被検者の登録情報および測定情報に、登録可能な項目がないことを通知し、終了する。
【００４１】
最後にＳ３１０で、情報格納部２０７に保存された被検者の登録情報および測定情報である性別、年齢、身長、体重、体脂肪、血圧などに基づいて、血糖値算出用の検量線を求めて、情報格納部２０７に保存し、終了する。
【００４２】
第１のヘルスケア機器１００である糖質測定器では、被検者の指先などの被測定部位内を透過した光の量を測定する。測定した値ｘから、血糖値ｙを求める血糖値算出用の公式ｙ＝ａｘ＋ｂにあてはめることで血糖値を算出する。このａとｂを、被検者の人種、性別、年齢、身長、体重、体脂肪、血圧などの情報に基づく値に自動的に設定することで、精度の高い測定結果を得ることができる。さらに、測定結果の履歴を参照することで、糖質測定器の測定値の補正に使用する体重や体脂肪、血圧の測定結果の妥当性を判断し、異常な値を測定結果の補正に使用するのを防止することができる。
【００４３】
なお、第２のヘルスケア機器１１０は、図３と図４による動作の説明から分かるように、被検者の登録情報および測定情報を有する保存手段１１２があればよく、測定手段１１１を有しない場合も可能である。また、第２のヘルスケア機器１１０は、複数であってもよい。
【００４４】
図５に、ヘルスケア機器２００の情報格納部２０７に保存されてある被検者の登録情報５０１と被検者の測定情報５０２を示す。図１の第２のヘルスケア機器１１０には、被検者の登録情報が、あらかじめ性別５１１、年齢５１２、身長５１３、体重５１４のように保存されている。さらに、これらを登録した登録日５１５が保存されている。また、被検者の測定情報が、第２のヘルスケア機器１１０が体脂肪測定器の場合であれば、体重５２１と体脂肪５２２のように、血圧測定器の場合であれば、血圧５２３のように、測定した最新の情報までの測定情報が測定日とともに被検者ごとに保存されてある。
【００４５】
図５のように、例えば、登録情報５０１の体重５１４（８０ｋｇ）の登録日５１５が８月３０日なのに対して、測定情報５０２の体脂肪測定での体重５２１（７７ｋｇ）の測定日が９月２８日であった場合、第１のヘルスケア機器１００は、第２のヘルスケア機器１１０から登録情報５０１と測定情報５０２を受信した際に、これらの日付に基づいて、最新の体重５２１（７７ｋｇ）の値を採用して測定データの補正をすることができる。
【００４６】
また、第２のヘルスケア機器が複数の場合も、登録情報や測定情報の有する日付情報に基づいて、最新の日付（場合によっては、時刻情報を含む）の情報を採用することができる。
【００４７】
以上のように、第１のヘルスケア機器１００が、被検者の登録情報５０１や測定情報５０２を有しない場合であっても、図３および図４の動作により、使用者は手動によるデータ入力などを行うことなく、被検者の登録情報５０１や測定情報５０２を登録することが可能である。また、同様の動作により、第２のヘルスケア機器１１０が第１のヘルスケア機器１００から被検者の登録情報５０１や測定情報５０２を得るようにすることも可能である。
【００４８】
また、第１と第２のヘルスケア機器が、例えば糖質測定器と体脂肪測定器のように異なる機器であっても、図３および図４の動作により、相互の被検者の登録情報５０１および測定情報５０２を共有することが可能である。また、第１と第２の２台のヘルスケア機器の場合だけでなく、機器が２台以上の多数の場合も、相互の被検者の登録情報５０１および測定情報５０２を共有することが可能である。
【００４９】
また、本実施形態のヘルスケア機器は、測定結果を被検者ごとの測定履歴として保存することができる。よって、これらの履歴に基づいて、例えば、新たな測定結果が、保存されている測定結果の履歴と食い違う場合、測定の補正に使用する際の補正値が適正な値であるか否かの確認を行うこともできる。
【００５０】
本実施形態のヘルスケア機器としては、血糖値の測定を行う糖質測定器、体脂肪測定器、血圧測定器、被検者の歩数などから消費カロリーを計算する活動量測定器などのヘルスケア機器が可能である。
【００５１】
以上のように、本実施形態によれば、使用者の負担を減らして正確な測定結果を得るために、ヘルスケア機器の有する被検者情報を簡便に更新できるヘルスケアシステムを実現することができる。
（第２の実施形態）
図６は、本発明の第２の実施形態のヘルスケアシステムの構成を示す図である。ヘルスケアシステム６０は、第１のヘルスケア機器１００と第２のヘルスケア機器１１０と端末機器６２０を備える。なお、本実施形態で、被検者とは生体情報を測定する対象者である。また、使用者とは、被検者をはじめ本実施形態のシステムおよび機器を操作する医師や看護婦などの者である。
【００５２】
第１のヘルスケア機器６００は、測定手段６０１、保存手段６０２、通信手段６０３、制御手段６０４を備える。第２のヘルスケア機器６１０は、測定手段６１１、保存手段６１２、通信手段６１３、制御手段６１４を備える。第１のヘルスケア機器６００および第２のヘルスケア機器６１０の通信手段６０３および通信手段６１３以外は、第1の実施形態と同様である。なお、第２のヘルスケア機器６１０は、第１の実施形態と同様に、測定手段６１１を有しない場合もある。
【００５３】
ヘルスケアシステム６０は、さらに、端末機器６２０を備える。端末機器６２０は、保存手段６２２、通信手段６２３、制御手段６２４を備える。保存手段６２２は、第１のヘルスケア機器６００および第２のヘルスケア機器６１０が測定した被検者の測定情報や、第１のヘルスケア機器６００および第２のヘルスケア機器６１０に登録された人種、年齢、性別、体重、身長、ウエストなどのスリーサイズなどの被検者の登録情報を保存する。通信手段６２３は、被検者の登録情報や測定情報をヘルスケアシステム１０内のヘルスケア機器の通信手段６０４や６１４と送受信する。
【００５４】
第１のヘルスケア機器６００および第２のヘルスケア機器６１０のさらに具体的な構成としては、第１の実施形態の図２と同様の構成とすることができる。ただし、通信制御部２０９は、端末機器６２０の通信部６２４と送受信を行う。送受信は無線で行うことができる。
【００５５】
端末機器６２０の具体的な構成としては、例えば、サーバ、パソコン、タブレット端末、スマートフォンとすることができる。これらの有するＣＰＵの演算機能により制御手段６２４を、メモリによる記憶機能により保存手段６２２を、無線通信機能により通信手段６２２を、それぞれ実現することができる。
【００５６】
次に、図７および図８を参照して、本実施形態の動作を説明する。すなわち、第１のヘルスケア機器６００は、第２のヘルスケア機器６１０から被検者の登録情報や測定結果を、端末機器６２０を経由して受信して登録を行う。これにより、第１のヘルスケア機器６００において、使用者が手動で性別や年齢、身長や体重などの被検者情報を登録する手間を省く。さらに、被検者の最新の体重や体脂肪、血圧などの第２のヘルスケア機器６１０での測定結果を、第１のヘルスケア機器６００での測定結果の補正に使用することで、第１のヘルスケア機器６００は、より精度の高い測定結果を得ることができる。
【００５７】
図７は、第１のヘルスケア機器６００の動作のフローチャートを、図８は、端末機器６２０の動作のフローチャートを、それぞれ示す。なお、本実施形態の動作では、第２のヘルスケア機器６１０の有する被検者の登録情報や測定情報は、予め端末機器６２０に送信され保存されている。
【００５８】
動作は、図７の第１のヘルスケア機器６００の動作から開始する。
【００５９】
Ｓ７０１で、電源を入れた状態の第１のヘルスケア機器６００は、操作表示部２０５の設定メニューに設けられた端末機器６２０との被検者情報を共有するためのメニューを、操作表示部２０５のキーを使用して使用者が実行することで、通信制御部２０９を使用して端末機器６２０との通信が可能かどうかの検出を行う。
【００６０】
もしくは、Ｓ７０１で、電源を入れた際の第１のヘルスケア機器６００は、ヘルスケアシステム６０内の端末機器に対して、通信が可能かどうかの検出を自動で行うとすることもできる。
【００６１】
Ｓ７０２で、第１のヘルスケア機器６００は、端末機器６２０の電源が入っていなかったり機器が通信圏外にあるため通信できなかったりするなどで通信可能でないことを検出した場合は、Ｓ７０３に進む。
【００６２】
Ｓ７０３で、第１のヘルスケア機器６００は、端末機器６２０の電源を入れて通信範囲内に機器を持ってくるよう、操作表示部２０５に表示する。
【００６３】
Ｓ７０２で、第１のヘルスケア機器６００は、端末機器６２０が通信制御部２０９により通信が可能であることを検出した場合、Ｓ７０４に進む。
【００６４】
Ｓ７０４で、第１のヘルスケア機器６００は、端末機器６２０に保存されている被検者の登録情報および測定情報の取得要求を、端末機器６２０に対して送信する。
【００６５】
ここからは、図８の端末機器６２０の動作となる。
【００６６】
Ｓ８０１でＳ７０４の取得要求を受信した端末機器６２０は、Ｓ８０２で、端末機器６２０の保存手段６２２に保存されている被検者の登録情報の有無を確認する。Ｓ８０２で、被検者の登録情報がある場合、Ｓ８０４で、取得要求に対する被検者の登録情報の送信を準備する。
【００６７】
続いて、端末機器６２０は、Ｓ８０５で、端末機器６２０の保存手段６２２に保存されている被検者の体重や体脂肪や血圧などの測定情報の有無を確認する。被検者の測定情報がある場合、Ｓ８０６で、取得要求に対する被検者の最新の測定情報の送信を準備する。
【００６８】
Ｓ８０７で、端末機器６２０は、取得要求に対する被検者の登録情報と測定情報とを、第１のヘルスケア機器６００に送信し、終了する。
【００６９】
Ｓ８０２で、被検者の登録情報が無い場合、端末機器６２０は、被検者の登録情報が無い旨を第１のヘルスケア機器６００に送信し、終了する。また、Ｓ８０５で、被検者の測定結果が無い場合、Ｓ８０７で、端末機器６２０は被検者の登録情報を第１のヘルスケア機器６００に送信し、終了する。
【００７０】
ここからは再び、図７の第１のヘルスケア機器６００の動作となる。
【００７１】
Ｓ７０５で、端末機器６２０からの情報を受信した第１のヘルスケア機器６００は、Ｓ７０６で、取得要求に対する受信情報の性別や年齢、身長や体重などの項目から、第１のヘルスケア機器６００に対応する登録可能な項目を識別する。登録可能な項目がある場合、Ｓ７０７で、情報格納部２０７の被検者の登録情報および測定情報に登録し、Ｓ７０８で、操作表示部２０５により使用者へ端末機器６１０の被検者の登録情報および測定情報を登録したことを通知する。
【００７２】
Ｓ７０６で、登録可能な項目がないことを識別した場合、Ｓ７０９で、操作表示部２０５により、使用者へ端末機器６２０の被検者の登録情報および測定情報に登録可能な項目がないことを通知し、終了する。
【００７３】
最後にＳ７１０で、情報格納部２０７に保存された被検者の登録情報および測定情報である性別、年齢、身長、体重、体脂肪、血圧などに基づいて、血糖値算出用の検量線を求めて、情報格納部２０７に保存し、終了する。
【００７４】
図９に、端末機器６２０の保存手段６２２に保存されてある被検者の登録情報９０１と被検者の測定情報６０２を示す。図６の第２のヘルスケア機器６１０には、被検者の登録情報が、あらかじめ第１の実施形態の図５で説明したように保存されている。本実施形態の端末機器６２０では、被検者の登録情報があらかじめ第２のヘルスケア機器６１０から送信され、登録情報９０１は性別９１１、年齢９１２、身長９１３、体重９１４、登録日９１５のように保存されている。また、被検者の測定情報９０２が、血糖値であれば血糖値９２１のように、体脂肪であれば体重９２２と体脂肪９２３のように、血圧であれば血圧９２４のように、測定情報が測定日とともに被検者ごとに保存されてある。このようにして、各ヘルスケア機器で測定された被検者の測定情報を、端末機器６２０で共有することもできる。
【００７５】
図９のように、例えば、登録情報９０１の体重９１４（８０ｋｇ）の登録日９１５が８月３０日に対して、測定情報９０２の体脂肪測定での体重９２２（７７ｋｇ）の測定日が９月２８日のであった場合、第１のヘルスケア機器６００は端末機器６２０からこれらの情報を受信した際に、日付情報に基づいて、最新の体重（７７ｋｇ）の値を採用して、測定データの補正をすることができる。
【００７６】
また、第２のヘルスケア機器が複数の場合も、登録情報や測定情報の有する日付情報に基づいて、最新の日付（場合によっては、時刻情報を含む）の情報を採用することができる。
【００７７】
以上のように、第１のヘルスケア機器６００が、被検者の登録情報９０１や測定情報９０２を有しない場合であっても、図７および図８の動作により、使用者は手動によるデータ入力などを行うことなく、被検者の登録情報９０１や測定情報９０２を登録することが可能である。また、同様の動作により、第２のヘルスケア機器６１０が第１のヘルスケア機器６００の被検者情報を端末機器６２０を介して得るようにすることも可能である。
【００７８】
第１のヘルスケア機器６００と第２のヘルスケア機器６１０が、端末機器６２０を介して被検者の情報を送受信することによって、以下の利点がある。すなわち、例えば、第２のヘルスケア機器６１０が測定中であっても、第２のヘルスケア機器６１０の有する被検者情報は端末機器６２０に保存されていることから、第２のヘルスケア機器６１０の測定に影響を与えずに、第１のヘルスケア機器６００は、端末機器６２０から被検者情報を得ることができる。
【００７９】
以上のように、本実施形態によれば、使用者の負担を減らして正確な測定結果を得るために、ヘルスケア機器の有する被検者情報を簡便に更新できるヘルスケアシステムを実現することができる。
【００８０】
本発明は上記実施形態に限定されることなく、特許請求の範囲に記載した発明の範囲内で、種々の変形が可能であり、それらも本発明の範囲内に含まれるものであることはいうまでもない。
【００８１】
また、上記の実施形態の一部又は全部は、以下の付記のようにも記載され得るが、以下には限られない。
【００８２】
付記
（付記１）
被検者の測定を行う第１のヘルスケア機器と、前記被検者の被検者情報を有する第２のヘルスケア機器と、を有し、
前記第１のヘルスケア機器は、前記被検者情報に基づいて前記被検者の測定結果を補正する、ヘルスケアシステム。
（付記２）
前記第１のヘルスケア機器は、前記被検者を測定する第１の測定手段と、前記被検者情報を保存する第１の保存手段と、前記被検者情報を前記第２のヘルスケア機器と送受信する第１の通信手段とを有し、
前記第２のヘルスケア機器は、前記被検者情報を保存する第２の保存手段と、前記被検者情報を前記第１のヘルスケア機器と送受信する第２の通信手段とを有し、
前記第１のヘルスケア機器は、前記第２の保存手段が有し前記第２の送信手段が送信する前記被検者情報を、前記第１の送信手段で受信し前記第１の保存手段に保存し、前記被検者情報に基づいて前記第１の測定手段による前記測定結果を補正する、付記１記載のヘルスケアシステム。
（付記３）
前記第１のヘルスケア機器は、前記被検者情報に基づいて、前記測定結果を補正する検量線を決定する、付記１または２記載のヘルスケアシステム。
（付記４）
記第１のヘルスケア機器は、前記検量線を自動的に決定する、付記３記載のヘルスケアシステム。
（付記５）
前記第１のヘルスケア機器は、前記検量線を前記第１の保存手段に保存する、付記３または４記載のヘルスケアシステム。
（付記６）
前記第１のヘルスケア機器は、前記第１のヘルスケア機器の電源を入れた際に、自動で、前記第２のヘルスケア機器に対して前記被検者情報の送信を指示する、付記１から５の内の１項記載のヘルスケアシステム。
（付記７）
前記第１と第２の通信手段は無線通信である、付記２から６の内の１項記載のヘルスケアシステム。
（付記８）
前記第２のヘルスケア機器は、前記被検者を測定する第２の測定手段を有する、付記１から７の内の１項記載のヘルスケアシステム。
（付記９）
前記被検者情報は、前記第２の測定手段による前記被検者の測定結果に基づいて更新される、付記８記載のヘルスケアシステム。
（付記１０）
前記第２のヘルスケア機器は複数である、付記１から９の内の１項記載のヘルスケアシステム。
（付記１１）
前記第１と第２のヘルスケア機器は、糖質測定器、体脂肪測定器、血圧測定器、被検者の歩数などから消費カロリーを計算する活動量測定器の内の少なくとも一つを有する、付記１から１０の内の１項記載のヘルスケアシステム。
（付記１２）
前記被検者情報は、人種、年齢、性別、体重、身長、スリーサイズ、前記測定結果の内の少なくとも一つを有する、付記１から１１の内の１項記載のヘルスケアシステム。
（付記１３）
被検者の測定を行う第１のヘルスケア機器と、前記被検者の被検者情報を有する第２のヘルスケア機器と、端末機器と、を有し、
前記第１のヘルスケア機器は、前記端末機器を介して前記被検者情報を得、前記被検者情報に基づいて前記被検者の測定結果を補正する、ヘルスケアシステム。
（付記１４）
前記第１のヘルスケア機器は、前記被検者を測定する第１の測定手段と、前記被検者情報を保存する第１の保存手段と、前記被検者情報を前記端末機器と送受信する第１の通信手段とを有し、
前記第２のヘルスケア機器は、前記被検者情報を保存する第２の保存手段と、前記被検者情報を前記端末機器と送受信する第２の通信手段とを有し、
前記端末機器は、前記被検者情報を保存する第３の保存手段と、前記被検者情報を前記第１と第２のヘルスケア機器と送受信する第３の通信手段とを有し、
前記第１のヘルスケア機器は、前記第２の保存手段が有し前記第２の送信手段が送信し、前記端末機器の前記第３の通信手段が受信し前記第３の保存手段が保存し前記第３の通信手段が送信する、前記被検者情報を、前記第１の送信手段で受信し前記第１の保存手段に保存し、前記被検者情報に基づいて前記第１の測定手段による前記測定結果を補正する、付記１３記載のヘルスケアシステム。
（付記１５）
前記第１のヘルスケア機器は、前記被検者情報に基づいて、前記測定結果を補正する検量線を決定する、付記１３または１４記載のヘルスケアシステム。
（付記１６）
記第１のヘルスケア機器は、前記検量線を自動的に決定する、付記１５記載のヘルスケアシステム。
（付記１７）
前記第１のヘルスケア機器は、前記検量線を前記第１の保存手段に保存する、付記１５または１６記載のヘルスケアシステム。
（付記１８）
前記第１のヘルスケア機器は、前記第１のヘルスケア機器の電源を入れた際に、自動で、前記第２のヘルスケア機器に対して前記被検者情報の送信を指示する、付記１３から１７の内の１項記載のヘルスケアシステム。
（付記１９）
前記第１と第２の通信手段は無線通信である、付記１４から１８の内の１項記載のヘルスケアシステム。
（付記２０）
前記第２のヘルスケア機器は、前記被検者を測定する第２の測定手段を有する、付記１３から１９の内の１項記載のヘルスケアシステム。
（付記２１）
前記被検者情報は、前記第２の測定手段による前記被検者の測定結果に基づいて更新される、付記１３から２０の内の１項記載のヘルスケアシステム。
（付記２２）
前記第２のヘルスケア機器は複数である、付記１３から２１の内の１項記載のヘルスケアシステム。
（付記２３）
前記第１と第２のヘルスケア機器は、糖質測定器、体脂肪測定器、血圧測定器、被検者の歩数などから消費カロリーを計算する活動量測定器の内の少なくとも一つを有する、付記１３から２２の内の１項記載のヘルスケアシステム。
（付記２４）
前記被検者情報は、人種、年齢、性別、体重、身長、スリーサイズ、前記測定結果の内の少なくとも一つを有する、付記１３から２３の内の１項記載のヘルスケアシステム。
（付記２５）
被検者の測定を行い、第２のヘルスケア機器の有する被検者情報に基づいて前記被検者の測定結果を補正する、ヘルスケア機器。
（付記２６）
前記被検者を測定する測定手段と、前記被検者情報を保存する保存手段と、前記被検者情報を前記第２のヘルスケア機器と送受信する通信手段とを有し、
前記第２のヘルスケア機器が有し送信する前記被検者情報を、前記通信手段で受信し前記保存手段に保存し、前記被検者情報に基づいて前記測定手段による前記測定結果を補正する、付記２５記載のヘルスケア機器。
（付記２７）
前記第２のヘルスケア機器が有し送信する前記被検者情報を、端末機器を介して前記通信手段で受信する、付記２５または２６記載のヘルスケア機器。
（付記２８）
前記被検者情報に基づいて、前記測定結果を補正する検量線を決定する、付記２５から２７の内の１項記載のヘルスケア機器。
（付記２９）
前記検量線を自動的に決定する、付記２８記載のヘルスケア機器。
（付記３０）
前記検量線を前記保存手段に保存する、付記２８または２９記載のヘルスケア機器。
（付記３１）
前記ヘルスケア機器の電源を入れた際に、自動で、前記第２のヘルスケア機器もしくは前記携帯端末に対して前記被検者情報の送信を指示する、付記２５から３０の内の１項記載のヘルスケア機器。
（付記３２）
前記通信手段は無線である、付記２６から３１の内の１項記載のヘルスケア機器。
（付記３３）
糖質測定器、体脂肪測定器、血圧測定器、被検者の歩数などから消費カロリーを計算する活動量測定器の内の少なくとも一つを有する、付記２５から３２の内の１項記載のヘルスケア機器。
（付記３４）
前記被検者情報は、人種、年齢、性別、体重、身長、スリーサイズ、前記測定結果の内の少なくとも一つを有する、付記２５から３３の内の１項記載のヘルスケア機器。
【符号の説明】
【００８３】
１０、６０    ヘルスケアシステム
１００、６００    第１のヘルスケア機器
１１０、６１０    第２のヘルスケア機器
１０１、１１１、６０１、６１１    測定手段
１０２、１１２、６０２、６１２、６２２    保存手段
１０３、１１３、６０３、６１３、６２３    通信手段
１０４、１１４、６０４、６１４、６２４    制御手段
２００、ヘルスケア機器
２０１    主制御部
２０２    記憶部（ＲＯＭ）
２０３    記憶部（ＲＡＭ）
２０４    測定部
２０５    操作表示部
２０６    電源管理部
２０７    情報格納部
２０８    日時管理部
２０９    通信制御部
５０１、９０１    登録情報
５０２、９０２    測定情報
６２０    端末機器
【図１】
2015150276.tif 000003
【図２】
2015150276.tif 000004
【図３】
2015150276.tif 000005
【図４】
2015150276.tif 000006
【図５】
2015150276.tif 000007
【図６】
2015150276.tif 000008
【図７】
2015150276.tif 000009
【図８】
2015150276.tif 000010
【図９】
2015150276.tif 000011